(57)【要約】      （修正有）【課題】  スキャナとして機能する画像形成装置のリモート操作をクライアント端末から行う場合に関して、どの画像形成装置に原稿をセットしたかを容易に特定できるようにする。【解決手段】  画像形成装置のクライアント端末からのリモート操作に応じて、画像形成装置にセットされた原稿から画像を読み取って、画像をクライアント端末に送信する画像形成装置であって、原稿がセットされた場合に原稿がセットされた旨を通知先に通知する、との設定を登録する通知登録を受けて、通知登録を実行し、通知登録を識別するための通知登録識別情報をクライアント端末に応答する通知登録手段と、原稿がセットされた場合に原稿がセットされた旨を通知する通知手段を備え、通知手段は、原稿がセットされて通知登録識別情報が画像形成装置に入力された場合、原稿がセットされた旨を通知先に通知することを特徴とする画像形成装置。【選択図】  図２
2005130102.tif 000002
【特許請求の範囲】
【請求項１】
当該画像形成装置のクライアント端末からのリモート操作に応じて、当該画像形成装置にセットされた原稿から画像を読み取って、前記画像を前記クライアント端末に送信する画像形成装置であって、
原稿がセットされた場合に原稿がセットされた旨を通知先に通知する、との設定を登録する通知登録を実行する旨の通知登録要求を前記クライアント端末から受けて、前記通知登録を実行し、前記通知登録を識別するための通知登録識別情報を前記クライアント端末に応答する通知登録手段と、原稿がセットされた場合に原稿がセットされた旨を通知先に通知する通知手段を備え、
前記通知手段は、原稿がセットされて前記通知登録識別情報が当該画像形成装置に入力された場合、原稿がセットされた旨を、入力された前記通知登録識別情報に係る前記通知登録にて登録された通知先に通知することを特徴とする画像形成装置。
【請求項２】
当該画像形成装置のクライアント端末からのリモート操作に応じて、当該画像形成装置にセットされた原稿から画像を読み取って、前記画像を前記クライアント端末に送信する画像形成装置であって、
原稿がセットされた場合に原稿がセットされた旨を通知先に通知する、との設定を登録する通知登録を実行する旨の通知登録要求を前記クライアント端末から受けて、前記通知登録を実行する通知登録手段と、原稿がセットされた場合に原稿がセットされた旨を通知先に通知する通知手段を備え、
前記通知手段は、原稿がセットされて原稿がセットされた旨を通知する通知先が当該画像形成装置に入力された場合、原稿がセットされた旨を、入力された通知先に通知することを特徴とする画像形成装置。
【請求項３】
前記通知手段は、原稿がセットされて前記通知登録識別情報を当該画像形成装置に自動入力するためのデバイスが当該画像形成装置にセットされた場合、原稿がセットされた旨を、自動入力された前記通知登録識別情報に係る前記通知登録にて登録された通知先に通知することを特徴とする請求項１に記載の画像形成装置。
【請求項４】
前記通知手段は、原稿がセットされて原稿がセットされた旨を通知する通知先を当該画像形成装置に自動入力するためのデバイスが当該画像形成装置にセットされた場合、原稿がセットされた旨を、自動入力された通知先に通知することを特徴とする請求項２に記載の画像形成装置。
【請求項５】
前記通知手段は、原稿がセットされて前記通知登録識別情報と認証情報が当該画像形成装置に入力された場合、入力された認証情報が正しいことを条件に、原稿がセットされた旨を、入力された前記通知登録識別情報に係る前記通知登録にて登録された通知先に通知することを特徴とする請求項１に記載の画像形成装置。
【請求項６】
前記通知手段は、原稿がセットされて原稿がセットされた旨を通知する通知先と認証情報が当該画像形成装置に入力された場合、入力された認証情報が正しいことを条件に、原稿がセットされた旨を、入力された通知先に通知することを特徴とする請求項２に記載の画像形成装置。
【請求項７】
前記通知登録手段は、当該画像形成装置により指定された識別情報を前記通知登録識別情報として採用することを特徴とする請求項１に記載の画像形成装置。
【請求項８】
前記通知登録手段は、前記クライアント端末により指定された識別情報を前記通知登録識別情報として採用することを特徴とする請求項１に記載の画像形成装置。
【請求項９】
前記通知登録を実行する旨の前記通知登録要求では、原稿がセットされた旨を当該通知登録に基づいて通知する際の認証処理で使用する認証情報、を指定可能であることを特徴とする請求項５又は６に記載の画像形成装置。
【請求項１０】
前記通知登録を実行する旨の前記通知登録要求では、原稿がセットされた旨を当該通知登録に基づいて通知することができる回数、を指定可能であることを特徴とする請求項１乃至６のいずれか１項に記載の画像形成装置。
【請求項１１】
前記通知登録を実行する旨の前記通知登録要求では、原稿がセットされた旨を当該通知登録に基づいて通知することができる期限、を指定可能であることを特徴とする請求項１乃至６のいずれか１項に記載の画像形成装置。
【請求項１２】
当該画像形成装置のクライアント端末からのリモート操作に応じて、当該画像形成装置にセットされた原稿から画像を読み取って、前記画像を前記クライアント端末に送信する画像形成装置により実行される情報処理方法であって、
原稿がセットされた場合に原稿がセットされた旨を通知先に通知する、との設定を登録する通知登録を実行する旨の通知登録要求を前記クライアント端末から受けて、前記通知登録を実行し、前記通知登録を識別するための通知登録識別情報を前記クライアント端末に応答する通知登録段階と、原稿がセットされた場合に原稿がセットされた旨を通知先に通知する通知段階を備え、
前記通知段階では、原稿がセットされて前記通知登録識別情報が当該画像形成装置に入力された場合、原稿がセットされた旨を、入力された前記通知登録識別情報に係る前記通知登録にて登録された通知先に通知することを特徴とする情報処理方法。
【請求項１３】
当該画像形成装置のクライアント端末からのリモート操作に応じて、当該画像形成装置にセットされた原稿から画像を読み取って、前記画像を前記クライアント端末に送信する画像形成装置により実行される情報処理方法であって、
原稿がセットされた場合に原稿がセットされた旨を通知先に通知する、との設定を登録する通知登録を実行する旨の通知登録要求を前記クライアント端末から受けて、前記通知登録を実行する通知登録段階と、原稿がセットされた場合に原稿がセットされた旨を通知先に通知する通知段階を備え、
前記通知段階では、原稿がセットされて原稿がセットされた旨を通知する通知先が当該画像形成装置に入力された場合、原稿がセットされた旨を、入力された通知先に通知することを特徴とする情報処理方法。
【請求項１４】
前記通知段階では、原稿がセットされて前記通知登録識別情報を当該画像形成装置に自動入力するためのデバイスが当該画像形成装置にセットされた場合、原稿がセットされた旨を、自動入力された前記通知登録識別情報に係る前記通知登録にて登録された通知先に通知することを特徴とする請求項１２に記載の情報処理方法。
【請求項１５】
前記通知段階では、原稿がセットされて原稿がセットされた旨を通知する通知先を当該画像形成装置に自動入力するためのデバイスが当該画像形成装置にセットされた場合、原稿がセットされた旨を、自動入力された通知先に通知することを特徴とする請求項１３に記載の情報処理方法。
【請求項１６】
前記通知段階では、原稿がセットされて前記通知登録識別情報と認証情報が当該画像形成装置に入力された場合、入力された認証情報が正しいことを条件に、原稿がセットされた旨を、入力された前記通知登録識別情報に係る前記通知登録にて登録された通知先に通知することを特徴とする請求項１２に記載の情報処理方法。
【請求項１７】
前記通知段階では、原稿がセットされて原稿がセットされた旨を通知する通知先と認証情報が当該画像形成装置に入力された場合、入力された認証情報が正しいことを条件に、原稿がセットされた旨を、入力された通知先に通知することを特徴とする請求項１３に記載の情報処理方法。
【請求項１８】
前記通知登録段階では、当該画像形成装置により指定された識別情報を前記通知登録識別情報として採用することを特徴とする請求項１２に記載の情報処理方法。
【請求項１９】
前記通知登録段階では、前記クライアント端末により指定された識別情報を前記通知登録識別情報として採用することを特徴とする請求項１２に記載の情報処理方法。
【請求項２０】
前記通知登録を実行する旨の前記通知登録要求では、原稿がセットされた旨を当該通知登録に基づいて通知する際の認証処理で使用する認証情報、を指定可能であることを特徴とする請求項１６又は１７に記載の情報処理方法。
【請求項２１】
前記通知登録を実行する旨の前記通知登録要求では、原稿がセットされた旨を当該通知登録に基づいて通知することができる回数、を指定可能であることを特徴とする請求項１２乃至１７のいずれか１項に記載の情報処理方法。
【請求項２２】
前記通知登録を実行する旨の前記通知登録要求では、原稿がセットされた旨を当該通知登録に基づいて通知することができる期限、を指定可能であることを特徴とする請求項１２乃至１７のいずれか１項に記載の情報処理方法。
【請求項２３】
請求項１、３、又は５に記載の画像形成装置のクライアント端末として機能する情報処理装置であって、
原稿がセットされた場合に原稿がセットされた旨を通知先に通知する、との設定を登録する通知登録を実行する旨の通知登録要求を前記画像形成装置に対して発行する通知登録要求手段と、前記通知登録を識別するための通知登録識別情報を前記画像形成装置から応答された場合、当該画像形成装置から当該通知登録識別情報が応答された旨を表示する通知登録応答表示手段と、原稿がセットされた旨を前記画像形成装置から通知された場合、当該画像形成装置に原稿がセットされた旨を表示する通知表示手段を備えることを特徴とする情報処理装置。
【請求項２４】
請求項２、４、又は６に記載の画像形成装置のクライアント端末として機能する情報処理装置であって、
原稿がセットされた場合に原稿がセットされた旨を通知先に通知する、との設定を登録する通知登録を実行する旨の通知登録要求を前記画像形成装置に対して発行する通知登録要求手段と、原稿がセットされた旨を前記画像形成装置から通知された場合、当該画像形成装置に原稿がセットされた旨を表示する通知表示手段を備えることを特徴とする情報処理装置。
【請求項２５】
請求項１、３、又は５に記載の画像形成装置のクライアント端末として機能する情報処理装置により実行される情報処理方法であって、
原稿がセットされた場合に原稿がセットされた旨を通知先に通知する、との設定を登録する通知登録を実行する旨の通知登録要求を前記画像形成装置に対して発行する通知登録要求段階と、前記通知登録を識別するための通知登録識別情報を前記画像形成装置から応答された場合、当該画像形成装置から当該通知登録識別情報が応答された旨を表示する通知登録応答表示段階と、原稿がセットされた旨を前記画像形成装置から通知された場合、当該画像形成装置に原稿がセットされた旨を表示する通知表示段階を備えることを特徴とする情報処理方法。
【請求項２６】
請求項２、４、又は６に記載の画像形成装置のクライアント端末として機能する情報処理装置により実行される情報処理方法であって、
原稿がセットされた場合に原稿がセットされた旨を通知先に通知する、との設定を登録する通知登録を実行する旨の通知登録要求を前記画像形成装置に対して発行する通知登録要求段階と、原稿がセットされた旨を前記画像形成装置から通知された場合、当該画像形成装置に原稿がセットされた旨を表示する通知表示段階を備えることを特徴とする情報処理方法。
【請求項２７】
請求項２５又は２６に記載の情報処理方法をコンピュータに実行させる情報処理プログラム。
【請求項２８】
請求項２５又は２６に記載の情報処理方法をコンピュータに実行させる情報処理プログラムが記録されたコンピュータ読取可能な記録媒体。
【請求項２９】
当該画像形成装置のクライアント端末からのリモート操作に応じて、当該画像形成装置にセットされた原稿から画像を読み取って、前記画像を前記クライアント端末に送信する画像形成装置と、前記画像形成装置の前記クライアント端末として機能する情報処理装置により実行される情報処理方法であって、
前記情報処理装置が、原稿がセットされた場合に原稿がセットされた旨を通知先に通知する、との設定を登録する通知登録を実行する旨の通知登録要求を前記画像形成装置に対して発行する通知登録要求段階と、前記画像形成装置が、前記通知登録要求を前記情報処理装置から受けて、前記通知登録を実行し、前記通知登録を識別するための通知登録識別情報を前記情報処理装置に応答する通知登録段階と、前記情報処理装置が、前記通知登録識別情報を前記画像形成装置から応答された場合、当該画像形成装置から当該通知登録識別情報が応答された旨を表示する通知登録応答表示段階と、前記画像形成装置が、原稿がセットされた場合に原稿がセットされた旨を通知先に通知する通知段階と、前記情報処理装置が、原稿がセットされた旨を前記画像形成装置から通知された場合、当該画像形成装置に原稿がセットされた旨を表示する通知表示段階を備え、
前記画像形成装置による前記通知段階では、原稿がセットされて前記通知登録識別情報が当該画像形成装置に入力された場合、原稿がセットされた旨を、入力された前記通知登録識別情報に係る前記通知登録にて登録された通知先に通知することを特徴とする情報処理方法。
【請求項３０】
当該画像形成装置のクライアント端末からのリモート操作に応じて、当該画像形成装置にセットされた原稿から画像を読み取って、前記画像を前記クライアント端末に送信する画像形成装置と、前記画像形成装置の前記クライアント端末として機能する情報処理装置により実行される情報処理方法であって、
前記情報処理装置が、原稿がセットされた場合に原稿がセットされた旨を通知先に通知する、との設定を登録する通知登録を実行する旨の通知登録要求を前記画像形成装置に対して発行する通知登録要求段階と、前記画像形成装置が、前記通知登録要求を前記情報処理装置から受けて、前記通知登録を実行する通知登録段階と、前記画像形成装置が、原稿がセットされた場合に原稿がセットされた旨を通知先に通知する通知段階と、前記情報処理装置が、原稿がセットされた旨を前記画像形成装置から通知された場合、当該画像形成装置に原稿がセットされた旨を表示する通知表示段階を備え、
前記画像形成装置による前記通知段階では、原稿がセットされて原稿がセットされた旨を通知する通知先が当該画像形成装置に入力された場合、原稿がセットされた旨を、入力された通知先に通知することを特徴とする情報処理方法。
【発明の詳細な説明】
【技術分野】
【０００１】
本発明は、スキャナ／プリンタ／コピー／ファクシミリ／複合機／融合機等の画像形成装置、パーソナルコンピュータ等の情報処理装置、情報処理方法、情報処理プログラム、ＣＤ−ＲＯＭ等の記録媒体に関する。詳細には、スキャナとして機能する画像形成装置、スキャナとして機能する画像形成装置のクライアント端末として機能する情報処理装置、情報処理方法、情報処理プログラム、記録媒体に関する。
【背景技術】
【０００２】
ＯＡ機器では、様々な形で文書処理（文書データ処理）が実行される。例えば、スキャナでは文書データが読取原稿から読み取られ、プリンタでは文書データが印刷用紙に印刷され、コピーでは文書データが読取原稿から読み取られて印刷用紙に印刷され、ファクシミリでは文書データが電話回線を介して授受される。プリンタにて印刷用紙に印刷される文書データは例えば、ワードプロセッサソフトや表計算ソフト等の文書アプリケーションソフトにより作成される。
【発明の開示】
【発明が解決しようとする課題】
【０００３】
近年、ＯＡ機器のネットワーク化が急速に進展している。このような事態に適切に対処するため、ＯＡ機器の統合インタフェースに関する標準仕様として「ＢＭＬｉｎｋＳ」が提唱されている。ＢＭＬｉｎｋＳでは、ＯＡ機器の検索方法（Ｄｉｓｃｏｖｅｒｙ）や、ＯＡ機器間で授受されるデータフォーマット（Ｄａｔａ  Ｆｏｒｍａｔ）や、ＯＡ機器の制御方法（Ｊｏｂ／Ｄｅｖｉｃｅ  Ｃｏｎｔｒｏｌ）等が標準化される。
【０００４】
ＢＭＬｉｎｋＳでは、ＯＡ機器の機能がオフィスサービスとしてモデル化される。ＯＡ機器のスキャン機能はスキャンサービス、ＯＡ機器のプリント機能はプリントサービス、ＯＡ機器のファックス入力機能はファックスインサービス、ＯＡ機器のファックス出力機能はファックスアウトサービス、ＯＡ機器のストレージ機能はストレージサービスとしてモデル化される。これにより通常、スキャナにはスキャンサービス、プリンタにはプリントサービス、コピーにはスキャンサービスとプリントサービス、ファクシミリにはファックスインサービスとファックスアウトサービス、ストレージ装置にはストレージサービスが存在することになる。スキャンサービスやプリントサービスに関しては、ｃｒｅａｔｅ＿ｊｏｂ（ジョブ生成要求）やｌｉｓｔ＿ｊｏｂｓ（ジョブ一覧要求）等のコマンドが規定されており、ストレージサービスに関しては、ｃｒｅａｔｅ＿ｆｉｌｅ（ファイル生成要求／データ保存要求）やｌｉｓｔ＿ｆｉｌｅｓ（ファイル一覧要求／データ一覧要求）やｒｅａｄ＿ｄａｔａ（データ読出要求）やｗｒｉｔｅ＿ｄａｔａ（データ書込要求）等のコマンドが規定されている。ＢＭＬｉｎｋＳでは、ネットワークプロトコルとしてＨＴＴＰ−ＳＯＡＰが使用される。
【０００５】
さて、ＯＡ機器をネットワークに接続して使用する例として、リモートスキャンが挙げられる。リモートスキャンでは、スキャナは、クライアントＰＣからのリモート操作に応じて、セットされた原稿から画像データ（文書データ）を読み取って、画像データ（文書データ）をクライアントＰＣに送信する。
【０００６】
この場合、ユーザは、クライアントＰＣの場所からスキャナの場所まで移動して、スキャナに原稿をセットしてクライアントＰＣの場所に戻り、スキャナのリモート操作をクライアントＰＣから行うことになる。この場合、クライアントＰＣの操作上、どのスキャナに原稿をセットしたかを特定する必要がある。しかし、ネットワーク上に多数のスキャナが存在する場合等には、どのスキャナに原稿をセットしたかを特定するのが困難な場合がある。
【０００７】
したがって、本発明は、スキャナとして機能する画像形成装置のリモート操作をクライアント端末から行う場合に関して、どの画像形成装置に原稿をセットしたかを容易に特定できるようにすることを課題とする。
【課題を解決するための手段】
【０００８】
請求項１に記載の発明（画像形成装置）は、当該画像形成装置のクライアント端末からのリモート操作に応じて、当該画像形成装置にセットされた原稿から画像を読み取って、前記画像を前記クライアント端末に送信する画像形成装置であって、原稿がセットされた場合に原稿がセットされた旨を通知先に通知する、との設定を登録する通知登録を実行する旨の通知登録要求を前記クライアント端末から受けて、前記通知登録を実行し、前記通知登録を識別するための通知登録識別情報を前記クライアント端末に応答する通知登録手段と、原稿がセットされた場合に原稿がセットされた旨を通知先に通知する通知手段を備え、前記通知手段は、原稿がセットされて前記通知登録識別情報が当該画像形成装置に入力された場合、原稿がセットされた旨を、入力された前記通知登録識別情報に係る前記通知登録にて登録された通知先に通知する。
【０００９】
請求項２に記載の発明（画像形成装置）は、当該画像形成装置のクライアント端末からのリモート操作に応じて、当該画像形成装置にセットされた原稿から画像を読み取って、前記画像を前記クライアント端末に送信する画像形成装置であって、原稿がセットされた場合に原稿がセットされた旨を通知先に通知する、との設定を登録する通知登録を実行する旨の通知登録要求を前記クライアント端末から受けて、前記通知登録を実行する通知登録手段と、原稿がセットされた場合に原稿がセットされた旨を通知先に通知する通知手段を備え、前記通知手段は、原稿がセットされて原稿がセットされた旨を通知する通知先が当該画像形成装置に入力された場合、原稿がセットされた旨を、入力された通知先に通知する。
【００１０】
請求項３に記載の発明（画像形成装置）は、請求項１に記載の発明（画像形成装置）に関して、前記通知手段は、原稿がセットされて前記通知登録識別情報を当該画像形成装置に自動入力するためのデバイスが当該画像形成装置にセットされた場合、原稿がセットされた旨を、自動入力された前記通知登録識別情報に係る前記通知登録にて登録された通知先に通知する。
【００１１】
請求項４に記載の発明（画像形成装置）は、請求項２に記載の発明（画像形成装置）に関して、前記通知手段は、原稿がセットされて原稿がセットされた旨を通知する通知先を当該画像形成装置に自動入力するためのデバイスが当該画像形成装置にセットされた場合、原稿がセットされた旨を、自動入力された通知先に通知する。
【００１２】
請求項５に記載の発明（画像形成装置）は、請求項１に記載の発明（画像形成装置）に関して、前記通知手段は、原稿がセットされて前記通知登録識別情報と認証情報が当該画像形成装置に入力された場合、入力された認証情報が正しいことを条件に、原稿がセットされた旨を、入力された前記通知登録識別情報に係る前記通知登録にて登録された通知先に通知する。
【００１３】
請求項６に記載の発明（画像形成装置）は、請求項２に記載の発明（画像形成装置）に関して、前記通知手段は、原稿がセットされて原稿がセットされた旨を通知する通知先と認証情報が当該画像形成装置に入力された場合、入力された認証情報が正しいことを条件に、原稿がセットされた旨を、入力された通知先に通知する。
【００１４】
請求項７に記載の発明（画像形成装置）は、請求項１に記載の発明（画像形成装置）に関して、前記通知登録手段は、当該画像形成装置により指定された識別情報を前記通知登録識別情報として採用する。
【００１５】
請求項８に記載の発明（画像形成装置）は、請求項１に記載の発明（画像形成装置）に関して、前記通知登録手段は、前記クライアント端末により指定された識別情報を前記通知登録識別情報として採用する。
【００１６】
請求項９に記載の発明（画像形成装置）は、請求項５又は６に記載の発明（画像形成装置）に関して、前記通知登録を実行する旨の前記通知登録要求では、原稿がセットされた旨を当該通知登録に基づいて通知する際の認証処理で使用する認証情報、を指定可能である。
【００１７】
請求項１０に記載の発明（画像形成装置）は、請求項１乃至６のいずれか１項に記載の発明（画像形成装置）に関して、前記通知登録を実行する旨の前記通知登録要求では、原稿がセットされた旨を当該通知登録に基づいて通知することができる回数、を指定可能である。
【００１８】
請求項１１に記載の発明（画像形成装置）は、請求項１乃至６のいずれか１項に記載の発明（画像形成装置）に関して、前記通知登録を実行する旨の前記通知登録要求では、原稿がセットされた旨を当該通知登録に基づいて通知することができる期限、を指定可能である。
【００１９】
請求項１２に記載の発明（情報処理方法）は、当該画像形成装置のクライアント端末からのリモート操作に応じて、当該画像形成装置にセットされた原稿から画像を読み取って、前記画像を前記クライアント端末に送信する画像形成装置により実行される情報処理方法であって、原稿がセットされた場合に原稿がセットされた旨を通知先に通知する、との設定を登録する通知登録を実行する旨の通知登録要求を前記クライアント端末から受けて、前記通知登録を実行し、前記通知登録を識別するための通知登録識別情報を前記クライアント端末に応答する通知登録段階と、原稿がセットされた場合に原稿がセットされた旨を通知先に通知する通知段階を備え、前記通知段階では、原稿がセットされて前記通知登録識別情報が当該画像形成装置に入力された場合、原稿がセットされた旨を、入力された前記通知登録識別情報に係る前記通知登録にて登録された通知先に通知する。
【００２０】
請求項１３に記載の発明（情報処理方法）は、当該画像形成装置のクライアント端末からのリモート操作に応じて、当該画像形成装置にセットされた原稿から画像を読み取って、前記画像を前記クライアント端末に送信する画像形成装置により実行される情報処理方法であって、原稿がセットされた場合に原稿がセットされた旨を通知先に通知する、との設定を登録する通知登録を実行する旨の通知登録要求を前記クライアント端末から受けて、前記通知登録を実行する通知登録段階と、原稿がセットされた場合に原稿がセットされた旨を通知先に通知する通知段階を備え、前記通知段階では、原稿がセットされて原稿がセットされた旨を通知する通知先が当該画像形成装置に入力された場合、原稿がセットされた旨を、入力された通知先に通知する。
【００２１】
請求項１４に記載の発明（情報処理方法）は、請求項１２に記載の発明（情報処理方法）に関して、前記通知段階では、原稿がセットされて前記通知登録識別情報を当該画像形成装置に自動入力するためのデバイスが当該画像形成装置にセットされた場合、原稿がセットされた旨を、自動入力された前記通知登録識別情報に係る前記通知登録にて登録された通知先に通知する。
【００２２】
請求項１５に記載の発明（情報処理方法）は、請求項１３に記載の発明（情報処理方法）に関して、前記通知段階では、原稿がセットされて原稿がセットされた旨を通知する通知先を当該画像形成装置に自動入力するためのデバイスが当該画像形成装置にセットされた場合、原稿がセットされた旨を、自動入力された通知先に通知する。
【００２３】
請求項１６に記載の発明（情報処理方法）は、請求項１２に記載の発明（情報処理方法）に関して、前記通知段階では、原稿がセットされて前記通知登録識別情報と認証情報が当該画像形成装置に入力された場合、入力された認証情報が正しいことを条件に、原稿がセットされた旨を、入力された前記通知登録識別情報に係る前記通知登録にて登録された通知先に通知する。
【００２４】
請求項１７に記載の発明（情報処理方法）は、請求項１３に記載の発明（情報処理方法）に関して、前記通知段階では、原稿がセットされて原稿がセットされた旨を通知する通知先と認証情報が当該画像形成装置に入力された場合、入力された認証情報が正しいことを条件に、原稿がセットされた旨を、入力された通知先に通知する。
【００２５】
請求項１８に記載の発明（情報処理方法）は、請求項１２に記載の発明（情報処理方法）に関して、前記通知登録段階では、当該画像形成装置により指定された識別情報を前記通知登録識別情報として採用する。
【００２６】
請求項１９に記載の発明（情報処理方法）は、請求項１２に記載の発明（情報処理方法）に関して、前記通知登録段階では、前記クライアント端末により指定された識別情報を前記通知登録識別情報として採用する。
【００２７】
請求項２０に記載の発明（情報処理方法）は、請求項１６又は１７に記載の発明（情報処理方法）に関して、前記通知登録を実行する旨の前記通知登録要求では、原稿がセットされた旨を当該通知登録に基づいて通知する際の認証処理で使用する認証情報、を指定可能である。
【００２８】
請求項２１に記載の発明（情報処理方法）は、請求項１２乃至１７のいずれか１項に記載の発明（情報処理方法）に関して、前記通知登録を実行する旨の前記通知登録要求では、原稿がセットされた旨を当該通知登録に基づいて通知することができる回数、を指定可能である。
【００２９】
請求項２２に記載の発明（情報処理方法）は、請求項１２乃至１７のいずれか１項に記載の発明（情報処理方法）に関して、前記通知登録を実行する旨の前記通知登録要求では、原稿がセットされた旨を当該通知登録に基づいて通知することができる期限、を指定可能である。
【００３０】
請求項２３に記載の発明（情報処理装置）は、請求項１、３、又は５に記載の画像形成装置のクライアント端末として機能する情報処理装置であって、原稿がセットされた場合に原稿がセットされた旨を通知先に通知する、との設定を登録する通知登録を実行する旨の通知登録要求を前記画像形成装置に対して発行する通知登録要求手段と、前記通知登録を識別するための通知登録識別情報を前記画像形成装置から応答された場合、当該画像形成装置から当該通知登録識別情報が応答された旨を表示する通知登録応答表示手段と、原稿がセットされた旨を前記画像形成装置から通知された場合、当該画像形成装置に原稿がセットされた旨を表示する通知表示手段を備える。
【００３１】
請求項２４に記載の発明（情報処理装置）は、請求項２、４、又は６に記載の画像形成装置のクライアント端末として機能する情報処理装置であって、原稿がセットされた場合に原稿がセットされた旨を通知先に通知する、との設定を登録する通知登録を実行する旨の通知登録要求を前記画像形成装置に対して発行する通知登録要求手段と、原稿がセットされた旨を前記画像形成装置から通知された場合、当該画像形成装置に原稿がセットされた旨を表示する通知表示手段を備える。
【００３２】
請求項２５に記載の発明（情報処理方法）は、請求項１、３、又は５に記載の画像形成装置のクライアント端末として機能する情報処理装置により実行される情報処理方法であって、原稿がセットされた場合に原稿がセットされた旨を通知先に通知する、との設定を登録する通知登録を実行する旨の通知登録要求を前記画像形成装置に対して発行する通知登録要求段階と、前記通知登録を識別するための通知登録識別情報を前記画像形成装置から応答された場合、当該画像形成装置から当該通知登録識別情報が応答された旨を表示する通知登録応答表示段階と、原稿がセットされた旨を前記画像形成装置から通知された場合、当該画像形成装置に原稿がセットされた旨を表示する通知表示段階を備えることを特徴とする情報処理方法。
【００３３】
請求項２６に記載の発明（情報処理方法）は、請求項２、４、又は６に記載の画像形成装置のクライアント端末として機能する情報処理装置により実行される情報処理方法であって、原稿がセットされた場合に原稿がセットされた旨を通知先に通知する、との設定を登録する通知登録を実行する旨の通知登録要求を前記画像形成装置に対して発行する通知登録要求段階と、原稿がセットされた旨を前記画像形成装置から通知された場合、当該画像形成装置に原稿がセットされた旨を表示する通知表示段階を備える。
【００３４】
請求項２７に記載の発明（情報処理プログラム）は、請求項２５又は２６に記載の情報処理方法をコンピュータに実行させる情報処理プログラムである。
【００３５】
請求項２８に記載の発明（記録媒体）は、請求項２５又は２６に記載の情報処理方法をコンピュータに実行させる情報処理プログラムが記録されたコンピュータ読取可能な記録媒体である。
【００３６】
請求項２９に記載の発明（情報処理方法）は、当該画像形成装置のクライアント端末からのリモート操作に応じて、当該画像形成装置にセットされた原稿から画像を読み取って、前記画像を前記クライアント端末に送信する画像形成装置と、前記画像形成装置の前記クライアント端末として機能する情報処理装置により実行される情報処理方法であって、前記情報処理装置が、原稿がセットされた場合に原稿がセットされた旨を通知先に通知する、との設定を登録する通知登録を実行する旨の通知登録要求を前記画像形成装置に対して発行する通知登録要求段階と、前記画像形成装置が、前記通知登録要求を前記情報処理装置から受けて、前記通知登録を実行し、前記通知登録を識別するための通知登録識別情報を前記情報処理装置に応答する通知登録段階と、前記情報処理装置が、前記通知登録識別情報を前記画像形成装置から応答された場合、当該画像形成装置から当該通知登録識別情報が応答された旨を表示する通知登録応答表示段階と、前記画像形成装置が、原稿がセットされた場合に原稿がセットされた旨を通知先に通知する通知段階と、前記情報処理装置が、原稿がセットされた旨を前記画像形成装置から通知された場合、当該画像形成装置に原稿がセットされた旨を表示する通知表示段階を備え、前記画像形成装置による前記通知段階では、原稿がセットされて前記通知登録識別情報が当該画像形成装置に入力された場合、原稿がセットされた旨を、入力された前記通知登録識別情報に係る前記通知登録にて登録された通知先に通知する。
【００３７】
請求項３０に記載の発明（情報処理方法）は、当該画像形成装置のクライアント端末からのリモート操作に応じて、当該画像形成装置にセットされた原稿から画像を読み取って、前記画像を前記クライアント端末に送信する画像形成装置と、前記画像形成装置の前記クライアント端末として機能する情報処理装置により実行される情報処理方法であって、前記情報処理装置が、原稿がセットされた場合に原稿がセットされた旨を通知先に通知する、との設定を登録する通知登録を実行する旨の通知登録要求を前記画像形成装置に対して発行する通知登録要求段階と、前記画像形成装置が、前記通知登録要求を前記情報処理装置から受けて、前記通知登録を実行する通知登録段階と、前記画像形成装置が、原稿がセットされた場合に原稿がセットされた旨を通知先に通知する通知段階と、前記情報処理装置が、原稿がセットされた旨を前記画像形成装置から通知された場合、当該画像形成装置に原稿がセットされた旨を表示する通知表示段階を備え、前記画像形成装置による前記通知段階では、原稿がセットされて原稿がセットされた旨を通知する通知先が当該画像形成装置に入力された場合、原稿がセットされた旨を、入力された通知先に通知する。
【００３８】
請求項１に記載の発明（画像形成装置）では、原稿がセットされて通知登録識別情報が当該画像形成装置に入力された場合、原稿がセットされた旨が、入力された通知登録識別情報に係る通知登録にて登録された通知先に通知されるため、どの画像形成装置に原稿をセットしたかを容易に特定できるようになる。
【００３９】
請求項２に記載の発明（画像形成装置）では、原稿がセットされて原稿がセットされた旨を通知する通知先が当該画像形成装置に入力された場合、原稿がセットされた旨が、入力された通知先に通知されるため、どの画像形成装置に原稿をセットしたかを容易に特定できるようになる。
【００４０】
請求項３に記載の発明（画像形成装置）では、原稿がセットされて通知登録識別情報を当該画像形成装置に自動入力するためのデバイスが当該画像形成装置にセットされた場合、原稿がセットされた旨が、自動入力された通知登録識別情報に係る通知登録にて登録された通知先に通知されるため、通知登録識別情報を暗記又はメモしたり手動入力したりする手間が軽減される。
【００４１】
請求項４に記載の発明（画像形成装置）では、原稿がセットされて原稿がセットされた旨を通知する通知先を当該画像形成装置に自動入力するためのデバイスが当該画像形成装置にセットされた場合、原稿がセットされた旨が、自動入力された通知先に通知されるため、通知先を暗記又はメモしたり手動入力したりする手間が軽減される。
【００４２】
請求項５に記載の発明（画像形成装置）では、原稿がセットされて通知登録識別情報と認証情報が当該画像形成装置に入力された場合、入力された認証情報が正しいことを条件にして、原稿がセットされた旨が、入力された通知登録識別情報に係る通知登録にて登録された通知先に通知されるため、通知機能の悪用や通知登録識別情報の入力ミスによる誤通知が防止される。
【００４３】
請求項６に記載の発明（画像形成装置）では、原稿がセットされて原稿がセットされた旨を通知する通知先と認証情報が当該画像形成装置に入力された場合、入力された認証情報が正しいことを条件にして、原稿がセットされた旨が、入力された通知先に通知されるため、通知機能の悪用や通知先の入力ミスによる誤通知が防止される。
【００４４】
請求項１２に記載の発明（情報処理方法）では、原稿がセットされて通知登録識別情報が当該画像形成装置に入力された場合、原稿がセットされた旨が、入力された通知登録識別情報に係る通知登録にて登録された通知先に通知されるため、どの画像形成装置に原稿をセットしたかを容易に特定できるようになる。
【００４５】
請求項１３に記載の発明（情報処理方法）では、原稿がセットされて原稿がセットされた旨を通知する通知先が当該画像形成装置に入力された場合、原稿がセットされた旨が、入力された通知先に通知されるため、どの画像形成装置に原稿をセットしたかを容易に特定できるようになる。
【００４６】
請求項１４に記載の発明（情報処理方法）では、原稿がセットされて通知登録識別情報を当該画像形成装置に自動入力するためのデバイスが当該画像形成装置にセットされた場合、原稿がセットされた旨が、自動入力された通知登録識別情報に係る通知登録にて登録された通知先に通知されるため、通知登録識別情報を暗記又はメモしたり手動入力したりする手間が軽減される。
【００４７】
請求項１５に記載の発明（情報処理方法）では、原稿がセットされて原稿がセットされた旨を通知する通知先を当該画像形成装置に自動入力するためのデバイスが当該画像形成装置にセットされた場合、原稿がセットされた旨が、自動入力された通知先に通知されるため、通知先を暗記又はメモしたり手動入力したりする手間が軽減される。
【００４８】
請求項１６に記載の発明（情報処理方法）では、原稿がセットされて通知登録識別情報と認証情報が当該画像形成装置に入力された場合、入力された認証情報が正しいことを条件にして、原稿がセットされた旨が、入力された通知登録識別情報に係る通知登録にて登録された通知先に通知されるため、通知機能の悪用や通知登録識別情報の入力ミスによる誤通知が防止される。
【００４９】
請求項１７に記載の発明（情報処理方法）では、原稿がセットされて原稿がセットされた旨を通知する通知先と認証情報が当該画像形成装置に入力された場合、入力された認証情報が正しいことを条件にして、原稿がセットされた旨が、入力された通知先に通知されるため、通知機能の悪用や通知先の入力ミスによる誤通知が防止される。
【発明の効果】
【００５０】
このように、本発明は、スキャナとして機能する画像形成装置のリモート操作をクライアント端末から行う場合に関して、どの画像形成装置に原稿をセットしたかを容易に特定できるようにすることを可能にする。
【発明を実施するための最良の形態】
【００５１】
図１は、ＯＡ機器が接続されたネットワークに係る機器配置図である。図１では、融合機１０１（融合機１０１Ａ，融合機１０１Ｂ，融合機１０１Ｃ）とＰＣ（パーソナルコンピュータ）１０２が、イーサネット（登録商標）等のネットワーク１０３により相互接続されている。融合機１０１は、スキャナやプリンタやコピーやファクシミリとして機能する画像形成装置である。ＰＣ１０２は、融合機１０１のクライアント端末として機能する情報処理装置である。
【００５２】
図１のＯＡ機器はそれぞれ、ＢＭＬｉｎｋＳに準拠したＯＡ機器である。融合機１０１Ａにはスキャンサービス１１Ａやプリントサービス１２Ａ、融合機１０１Ｂにはスキャンサービス１１Ｂやプリントサービス１２Ｂ、融合機１０１Ｃにはスキャンサービス１１Ｃやプリントサービス１２Ｃが存在する。ＰＣ１０２にはスキャナドライバ１３やプリンタドライバ１４等のＢＭＬｉｎｋＳドライバがインストールされている。
【００５３】
図２は、図１の融合機１０１に係る機能ブロック図である。図１の融合機１０１には、スキャン処理部２１、プリント処理部２２、検索応答部２３、通知登録部２４、通知部２５、ジョブ制御部２６、ネットワーク制御部２７等の機能ブロックが存在する。
【００５４】
スキャン処理部２１は、機器を制御してスキャン処理を実行する機能ブロックである。プリント処理部２２は、機器を制御してプリント処理を実行する機能ブロックである。検索応答部２３は、スキャナ検索要求やプリンタ検索要求に応答するスキャナ検索応答やプリンタ検索応答を発行する機能ブロックである。通知登録部２４は、機器の状態変化通知やジョブの状態変化通知の設定登録である「通知登録」を実行する機能ブロックである。通知部２５は、機器の状態変化通知やジョブの状態変化通知を実行する機能ブロックである。ジョブ制御部２６は、スキャン処理やプリント処理に係るジョブ生成やジョブキャンセルを実行する機能ブロックである。
【００５５】
ネットワーク制御部２７は、通信制御を実行する機能ブロックであり、図２のように、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等のネットワークプロトコルをサポートする。
【００５６】
図３は、図１のＰＣ１０２に係る機能ブロック図である。図１のＰＣ１０２には、ＵＩ処理部３１、検索部３２、通知登録要求部３３、通知登録応答受付部３４、通知受付部３５、ジョブ要求部３６、ネットワーク制御部３７等の機能ブロックが存在する。
【００５７】
ＵＩ処理部３１は、機器を制御してＵＩ（ユーザインタフェース）処理を実行する機能ブロックである。検索部３２は、スキャナ検索要求やプリンタ検索要求を発行（マルチキャスト）してスキャナ検索やプリンタ検索を実行する機能ブロックである。通知登録要求部３３は、機器の状態変化通知やジョブの状態変化通知の設定登録である「通知登録」を実行する旨の通知登録要求を発行する機能ブロックである。通知登録応答受付部３４は、通知登録要求に応答する通知登録応答を受け付けて受付内容を表示する機能ブロックである。通知受付部３５は、機器の状態変化通知やジョブの状態変化通知を受け付けて受付内容を表示する機能ブロックである。ジョブ要求部３６は、スキャン処理やプリント処理に係るジョブ生成要求やジョブキャンセル要求を発行する機能ブロックである。
【００５８】
ネットワーク制御部３７は、通信制御を実行する機能ブロックであり、図３のように、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等のネットワークプロトコルをサポートする。
【００５９】
（融合機）
図１の融合機１０１について詳細に説明する。
【００６０】
図４は、図１の融合機１０１に係るソフトウェア等構成図である。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００６１】
融合機１０１のハードウェア１１１としては、撮像部１２１と、印刷部１２２と、その他のハードウェア１２３が存在する。
【００６２】
撮像部１２１は、原稿から画像（画像データ。文書データとも呼ぶ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００６３】
印刷部１２２は、画像（画像データ。文書データとも呼ぶ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式が採用されており、感光体、帯電機、露光機、現像機、転写機、定着機等を備える。印刷部１２２は、印刷用紙等に関する機構として、給紙部、排紙部、印刷用紙等搬送機構等を備える。
【００６４】
その他のハードウェア１２３については、図５において説明する。
【００６５】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。ＯＳはここでは、図４のように、ＴＣＰ／ＩＰと、ＵＤＰ／ＩＰと、ＳＰＸ／ＩＰＸと、ＮｅｔＢＥＵＩと、ＡｐｐｌｅＴａｌｋ等のネットワークプロトコルをサポートする。
【００６６】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５と、リモートＦＡＸ用のアプリケーションであるリモートＦＡＸアプリ１４６と、ＢＭＬｉｎｋＳ用のアプリケーションであるＢＭＬｉｎｋＳアプリ１４７が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。ＢＭＬｉｎｋＳアプリ１４７は、ＢＭＬｉｎｋＳに準拠したＯＡ機器用のドライバ（ＢＭＬｉｎｋＳドライバ）である。
【００６７】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００６８】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。ネットワークコントロールサービス（ＮＣＳ）１６１には、図４のように、ＨＴＴＰｄやＳＳＤＰｄやＢＭＬｉｎｋＳｄ等のデーモンが存在する。
【００６９】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００７０】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００７１】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００７２】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００７３】
図５は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図４の「その他のハードウェア１２３」に該当する。
【００７４】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００７５】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００７６】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００７７】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００７８】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００７９】
図６は、図１の融合機１０１に係る外観図である。図６には、撮像部１２１の位置と、印刷部１２２の位置と、オペレーションパネル２０２の位置が図示されている。図６にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００８０】
オペレーションパネル２０２は、図７のように、タッチパネル３１１と、テンキー３１２と、スタートボタン３１３と、リセットボタン３１４と、初期設定ボタン３１５により構成される。
【００８１】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００８２】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００８３】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００８４】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図６の矢印のような経路で複数枚の原稿を１枚ずつ搬送し、撮像部１２１が、図６の矢印のような経路で１枚ずつ搬送される原稿から画像を読み取る。
【００８５】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００８６】
（文書処理）
以上の説明を踏まえて、図１の文書処理システムにおいて実行される文書処理について説明する。文中、融合機１０１Ａ，Ｂ，Ｃの原稿セット部３０１（図６参照）をそれぞれ原稿セット部３０１Ａ，Ｂ，Ｃのように添字付きで表記することにする。他の構成要素についても同様である。
【００８７】
図８は、図１の文書処理システムにおいて実行されるリモートスキャン処理について説明するためのシーケンス図である。ここでは、融合機１０１Ｃが、ＰＣ１０２からのリモート操作に応じて、原稿セット部３０１Ｃ（ＡＤＦ３２１Ｃでもフラットベッド３２２Ｃでもよい）にセットされた原稿から画像を読み取って、その画像をネットワーク１０３を介してＰＣ１０２に送信する場合（Ｓ３１−Ｓ３４）を具体例にして説明する。この処理に関連して、検索関連処理（Ｓ１１−Ｓ１２）、通知関連処理（Ｓ２１−Ｓ２７）、ジョブ関連処理（Ｓ３１−Ｓ３４）と続く一連の処理について説明する。
【００８８】
まず、ＰＣ１０２が、ネットワーク１０３上に存在するスキャナ（スキャンサービス）の検索を実行する。すなわち、ＰＣ１０２からスキャンサービス１１Ａ，Ｂ，Ｃに、スキャナ（スキャンサービス）を検索する旨のスキャナ検索要求がマルチキャスト（Ｓ１１）される。これに応じて、スキャンサービス１１Ａ，Ｂ，ＣからＰＣ１０２に、スキャナ検索応答が発行（Ｓ１２）される。このようにして、ネットワーク１０３上に存在するスキャナ（スキャンサービス）の検索が終了する。なお、Ｓ１１の処理は検索部３２（図３参照）により実行され、Ｓ１２の処理は検索応答部２３Ａ，Ｂ，Ｃ（図２参照）により実行される。
【００８９】
図９や図１０は、スキャナ検索要求のスクリプトの例を表す。記述９−１「ｓｓｄｐ：ｄｉｓｃｏｖｅｒ」や記述１０−１「ｓｓｄｐ：ｄｉｓｃｏｖｅｒ」は、検索要求である旨を表す。記述９−２「ｓｅｒｖｉｃｅ：ｓｃａｎ」や記述１０−２「ｓｅｒｖｉｃｅ：ｓｃａｎ」は、検索対象がスキャナ（スキャンサービス）である旨を表す。図９では、特に検索条件が設定されていないが、図１０では、検索条件「解像度３００ｄｐｉ以上」が設定されている。
【００９０】
図８に戻って説明を続行する。
【００９１】
続いて、ＰＣ１０２からスキャンサービス１１Ａ，Ｂ，Ｃに、通知登録を実行する旨の通知登録要求が発行（Ｓ２１）される。これを受けて、スキャンサービス１１Ａ，Ｂ，Ｃにより通知登録が実行されて、スキャンサービス１１Ａ，Ｂ，ＣからＰＣ１０２に、通知登録応答が発行（Ｓ２２）される。ＰＣ１０２は、通知登録応答を受け付けて、受付内容をＰＣ１０２の画面上に表示（Ｓ２３）する。なお、Ｓ２１の処理は通知登録要求部３３（図３参照）により実行され、Ｓ２２の処理は通知登録部２４Ａ，２４Ｂ，２４Ｃ（図２参照）により実行され、Ｓ２３の処理は通知登録応答受付部３４（図３参照）とＵＩ処理部３１（図３参照）により実行される。
【００９２】
通知登録（サービス通知登録）については、ＢＭＬｉｎｋＳで仕様が規定されている。通知登録要求では、どのようなイベントの発生を通知登録対象とするかを指定することができる。ここでは「原稿セット部３０１に原稿がセットされた」というイベントの発生が通知登録対象として指定されるものとする。これにより「原稿がセットされた場合に原稿がセットされた旨を通知先に通知する」との設定を登録する通知登録が実行されることになる。ただし、原稿がセットされた場合に直ちに通知処理が実行されるのではなく、原稿がセットされて「通知登録ＩＤ」が入力された場合に通知処理が実行されるようにする。
【００９３】
通知登録ＩＤは、通知登録を識別するための識別子であり、通知登録が実行された際に当該通知登録に割り振られて、スキャンサービス１１（通知登録部２４）により通知登録内容と共に管理されることになり、通知登録応答によりＰＣ１０２にも通知される。ＰＣ１０２は例えば、スキャンサービス１１Ａから「１１１」という通知登録ＩＤを応答されて、スキャンサービス１１Ｂから「１２３」という通知登録ＩＤを応答されて、スキャンサービス１１Ｃから「１４４」という通知登録ＩＤを応答される。Ｓ２３の処理では「融合機１０１Ａ，Ｂ，Ｃから通知登録ＩＤ「１１１」「１２３」「１４４」が応答された旨」がＰＣ１０２の画面上に表示される。
【００９４】
図１１は、通知登録要求の属性について説明するための表である。通知登録要求に所定の属性を保持させることで、通知登録内容を指定することができるのである。属性「ｅｖｅｎｔｓ」は、通知登録対象のイベントの種類である。属性「ｎｏｔｉｆｉｃａｔｉｏｎ−ｒｅｃｉｐｉｅｎｔ」は、通知先のＵＲＩ（Ｕｎｉｆｏｒｍ  Ｒｅｓｏｕｒｃｅ  Ｉｄｅｎｔｉｆｉｅｒｓ）である。属性「ｓｕｂｓｃｒｉｂｅｒ−ｕｓｅｒ−ｎａｍｅ」は、通知登録要求者の名前である。属性「ｓｕｂｓｃｒｉｂｅｒ−ｕｓｅｒ−ｄａｔａ」は、通知登録要求者に関するデータである。属性「ｌｅａｓｅ−ｅｘｐｉｒａｔｉｏｎ−ｔｉｍｅ」は、当該通知登録の利用期限（当該通知登録に基づいて通知を行うことができる期限）である。属性「ｃｏｕｎｔ」は、当該通知登録の利用回数（当該通知登録に基づいて通知を行うことができる回数）である。属性「ａｕｔｈｅｎｔｉｃａｔｉｏｎ」は、当該通知登録に基づいて通知を行う際の認証処理で使用する認証情報である。上記の通知登録要求は、属性「ｅｖｅｎｔｓ」として「原稿セット部３０１への原稿セット」を保持し、属性「ｎｏｔｉｆｉｃａｔｉｏｎ−ｒｅｃｉｐｉｅｎｔ」として「ＰＣ１０２のＵＲＩ」を保持するものとする。
【００９５】
図１１に関連して、通知登録ＩＤについて説明する。ＢＭＬｉｎｋＳの仕様では、通知登録ＩＤとして採用する識別子は、サーバ側（ここでは融合機１０１側）で指定することになっている。すなわち、上記の通知登録ＩＤ「１１１」「１２３」「１４４」は、サーバ側で生成するのである。しかしここでは、通知登録要求の属性「ｎｏｔｉｆｉｃｅｔｉｏｎ−ｓｕｂｓｃｒｉｐｔｉｏｎ−ｉｄ」により、通知登録ＩＤとして採用する識別子を、クライアント側（ここではＰＣ１０１側）でも指定できるようにする。この場合、すでに使用されている通知登録ＩＤとの重複が生じる場合があるが、その場合には、サーバ側で重複回避の措置をとる。通知登録ＩＤとして採用する識別子をクライアント側で指定する場合には、社員証番号や電話番号のように、重複が生じる可能性や忘れてしまう可能性が低いものを識別子とすることが望ましい。
【００９６】
図１２は、通知登録応答の属性について説明するための表である。属性「ｒｅｓｕｌｔ−ｃｏｄｅ」は、通知登録の実行結果である。属性「ｎｏｔｉｆｉｃｅｔｉｏｎ−ｓｕｂｓｃｒｉｐｔｉｏｎ−ｉｄ」は、通知登録ＩＤである。属性「ｅｒｒｏｒ−ｍｅｓｓａｇｅ」は、エラーメッセージである。
【００９７】
図８に戻って説明を続行する。
【００９８】
続いて、ユーザが、融合機１０１Ｃの原稿セット部３０１Ｃに原稿をセット（Ｓ２４）して、融合機１０１Ｃから応答された通知登録ＩＤ「１４４」を融合機１０１Ｃのタッチパネル３１１Ｃ（図７参照）に入力（Ｓ２５）する。スキャンサービス１１Ｃは、原稿がセットされたことを検知して、通知登録ＩＤ「１４４」が入力されたことを認識すると、原稿がセットされた旨を、通知登録ＩＤ「１４４」に係る通知登録にて登録された通知先（ＰＣ１０２のＵＲＩ）に通知（Ｓ２６）する。ＰＣ１０２は、通知メッセージを受け付けて、受付内容をＰＣ１０２の画面上に表示（Ｓ２７）する。すなわち「融合機１０１Ｃに原稿がセットされた旨」がＰＣ１０２の画面上に表示される。これにより、どの融合機１０１に原稿をセットしたかが特定されるのである。なお、Ｓ２６の処理は通知部２５Ｃ（図２参照）により実行され、Ｓ２７の処理は通知受付部３５（図３参照）とＵＩ処理部３１（図３参照）により実行される。
【００９９】
図１３は、通知メッセージの属性について説明するための表である。属性「ｔｒｉｇｇｅｒ−ｅｖｅｎｔ」は、イベントの種類である。属性「ｔｒｉｇｇｅｒ−ｔｉｍｅ」は、イベントの発生時刻である。属性「ｎｏｔｉｆｉｃｅｔｉｏｎ−ｓｕｂｓｃｒｉｐｔｉｏｎ−ｉｄ」は、通知登録ＩＤである。属性「ｓｅｒｖｉｃｅ−ｎａｍｅ」は、通知を行ったサービスの名前である。属性「ｓｅｒｖｉｃｅ−ｕｒｉ」は、通知を行ったサービスのＵＲＩである。
【０１００】
図８に戻って説明を続行する。
【０１０１】
続いて、スキャンサービス１１Ｃが、ＰＣ１０２からのリモート操作に応じて、スキャン処理を実行（Ｓ３１−Ｓ３２）して、スキャンデータの送信処理を実行（Ｓ３３−Ｓ３４）する。すなわち、ＰＣ１０２からスキャンサービス１１Ｃに、スキャンジョブを生成する旨のジョブ生成要求（スキャン要求）が発行（Ｓ３１）されて、これに応じて、スキャンサービス１１Ｃによりスキャンジョブが生成（スキャン処理が実行）されて、スキャンサービス１１ＣからＰＣ１０２に、ジョブ生成応答（スキャン応答）が発行（Ｓ３２）される。これに続いて、ＰＣ１０２からスキャンサービス１１Ｃに、スキャンデータの送信が要求（Ｓ３３）されて、これに応じて、スキャンサービス１１ＣからＰＣ１０２に、スキャンデータが送信（Ｓ３４）される。なお、Ｓ３１・Ｓ３３の処理はジョブ要求部３６（図３参照）により実行され、Ｓ３２・Ｓ３４の処理はジョブ制御部２６（図２参照）とスキャン処理部２１（図２参照）により実行される。
【０１０２】
以下、検索関連処理（Ｓ１１−Ｓ１２）、通知関連処理（Ｓ２１−Ｓ２７）、ジョブ関連処理（Ｓ３１−Ｓ３４）のそれぞれについて詳細に説明する。
【０１０３】
図１４は、検索関連処理（Ｓ１１−Ｓ１２）に係るシーケンス図である。検索関連処理ではまず、ＰＣ１０２から融合機１０１の検索応答部２３に、ネットワーク制御部２７を介してスキャナ検索要求が転送（Ｓ４１−Ｓ４２）される。これに応じて、検索応答部２３からスキャナ処理部２１に、スペックの問い合わせ（Ｓ４３）がなされて、融合機１０１の検索部２３からＰＣ１０２に、ネットワーク制御部２７を介してスキャナ検索応答が転送（Ｓ４４−Ｓ４５）される。なお、Ｓ４１−Ｓ４２の処理はＳ１１の処理に相当し、Ｓ４４−Ｓ４５の処理はＳ１２の処理に相当する。
【０１０４】
図１５は、通知関連処理（Ｓ２１−Ｓ２７）に係るシーケンス図である。通知関連処理ではまず、ＰＣ１０２から融合機１０１の通知登録部２４に、ネットワーク制御部２７を介して通知登録要求が転送（Ｓ５１−Ｓ５２）される。これに応じて、通知登録部２５により通知登録が実行される。すなわち、通知登録部２４により、通知登録ＩＤの割り振り（Ｓ５３）がなされ、通知登録内容が保存（Ｓ５４）される。これに続いて、融合機１０１の通知登録部２４からＰＣ１０２に、ネットワーク制御部２７を介して通知登録応答が転送（Ｓ５５−５６）される。ＰＣ１０２は、通知登録応答を受け付けて受付内容を表示（Ｓ５７）する。なお、Ｓ５１−Ｓ５２の処理はＳ２１の処理に相当し、Ｓ５５−Ｓ５６の処理はＳ２２の処理に相当し、Ｓ５７の処理はＳ２３の処理に相当する。
【０１０５】
図１５の説明を続行する。続いて、ユーザが、融合機１０１に原稿をセット（Ｓ６１）して、融合機１０１から応答された通知登録ＩＤを融合機１０１に入力（Ｓ６２）する。これに応じて、スキャン処理部２１から通知部２５に、原稿がセットされて通知登録ＩＤが入力された旨が通知（Ｓ６３）される。これに応じて、通知部２５により通知登録内容の確認（Ｓ６４）がなされる。これにより、通知処理を実行する要件が満たされたことが確認されれば、融合機１０１の通知部２５からＰＣ１０２（入力された通知登録ＩＤに係る通知登録にて登録された通知先）に、ネットワーク制御部２７を介して通知メッセージが転送（Ｓ６５−Ｓ６６）される。ＰＣ１０２は、通知メッセージを受け付けて受付内容を表示（Ｓ６７）する。なお、Ｓ６１の処理はＳ２４の処理に相当し、Ｓ６２の処理はＳ２５の処理に相当し、Ｓ６５−Ｓ６６の処理はＳ２６の処理に相当し、Ｓ６７の処理はＳ２７の処理に相当する。
【０１０６】
図１６は、通知関連処理（Ｓ２１−Ｓ２７）に係るフロー図である。スキャンサービス１１（融合機１０１）は、原稿セット部３０１に原稿がセットされたことを検知（Ｓ１０１）すると、通知登録ＩＤの入力画面をタッチパネル３１１に表示（Ｓ１０２）する。スキャンサービス１１（融合機１０１）は、通知登録ＩＤの入力画面に通知登録ＩＤが入力されたことを認識（Ｓ１０３）すると、入力された通知登録ＩＤの正当性を判断（Ｓ１０４）する。スキャンサービス１１（融合機１０１）は、入力された通知登録ＩＤが正しい場合には、通知条件を確認（Ｓ１０５）してから、原稿がセットされた旨を、入力された通知登録ＩＤに係る通知登録にて登録された通知先（ＰＣ１０２のＵＲＩ）に通知（Ｓ１０６）する。
【０１０７】
図１７は、ジョブ関連処理（Ｓ３１−Ｓ３４）に係るシーケンス図である。ジョブ関連処理ではまず、ＰＣ１０２から融合機１０１のジョブ制御部２６に、ネットワーク制御部２７を介してジョブ生成要求（スキャン要求）が転送（Ｓ７１−Ｓ７２）される。これに応じて、ジョブ制御部２６により資源が確保（Ｓ７３）されて、ジョブ制御部２６（スキャン処理部２１）によりスキャンジョブが生成（スキャン処理が実行）（Ｓ７４）される。これに続いて、融合機１０１のジョブ制御部２６からＰＣ１０２に、ネットワーク制御部２７を介してジョブ生成応答（スキャン応答）が転送（Ｓ７５−Ｓ７６）される。これに続いて、ＰＣ１０２から融合機１０１のジョブ制御部２６に、ネットワーク制御部２７を介してスキャンデータの送信が要求（Ｓ８１−Ｓ８２）される。これに応じて、融合機１０１のジョブ制御部２６からＰＣ１０２に、ネットワーク制御部２７を介してスキャンデータが送信（Ｓ８３−Ｓ８４）される。なお、Ｓ７１−Ｓ７２の処理はＳ３１の処理に相当し、Ｓ７５−Ｓ７６の処理はＳ３２の処理に相当し、Ｓ８１−Ｓ８２の処理はＳ３３の処理に相当し、Ｓ８３−Ｓ８４の処理はＳ３４の処理に相当する。
【０１０８】
図１８は、ジョブ関連処理（Ｓ３１−Ｓ３４）に係るフロー図である。スキャンサービス１１（融合機１０１）は、スキャン処理の実行待ちで待機（Ｓ２０１）しており、スキャン処理を実行（Ｓ２０２）すると、スキャン処理の実行結果をＰＣ１０２に応答（Ｓ２０３）すると共に、スキャンデータを保持（Ｓ２０４）する。
【０１０９】
（１）自動入力
Ｓ２５の処理では、ユーザが、融合機１０１から応答された通知登録ＩＤを融合機１０１のタッチパネル３１１に手動入力した。Ｓ２６の処理では、スキャンサービス１１が、原稿がセットされた旨を、その通知登録ＩＤに係る通知登録にて登録された通知先に通知した。
【０１１０】
これに代えて、Ｓ２５の処理にて、ユーザが、原稿がセットされた旨を通知する通知先を融合機１０１に自動入力するための「デバイス」を融合機１０１にセットするようにして、Ｓ２６の処理にて、スキャンサービス１１が、原稿がセットされた旨を、その通知先に通知するようにしてもよい。
【０１１１】
このような「デバイス」の具体例としては例えば、ＵＳＢ（Ｕｎｉｖｅｒｓａｌ  Ｓｅｒｉａｌ  Ｂｕｓ）メモリが挙げられる。ＵＳＢメモリに、原稿がセットされた旨を通知する通知先（ＰＣ１０２のＵＲＩ）を記憶させておくのである。融合機１０１にＵＳＢメモリをセットするための融合機１０１のＵＳＢインタフェースに係る構成要素については、図５を参照されたい。なお、このような「デバイス」には、図１９のように、ユーザＩＤや、パスワードや、通知先のＵＲＩを記憶させておく。
【０１１２】
図２０は、通知先を自動入力する場合の、通知関連処理（Ｓ２１−Ｓ２７）に係るシーケンス図である。図１５と対応するシーケンス図であり、図１５と同様のステップには図１５と同一のステップ番号を添付した。Ｓ５１−Ｓ５７の処理については、図１５と同様なので、図２０では省略した。
【０１１３】
ユーザは、融合機１０１に原稿をセット（Ｓ６１）して、自動入力用のデバイスを融合機１０１にセット（Ｓ６２）する。これにより、原稿がセットされた旨を通知する通知先（ＰＣ１０２のＵＲＩ）が融合機１０１に自動入力される。これに応じて、スキャン処理部２１から通知部２５に、原稿がセットされて通知先が入力された旨が通知（Ｓ６３）される。これに応じて、通知部２５により通知登録内容の確認（Ｓ６４）がなされる。これにより、通知処理を実行する要件が満たされたことが確認されれば、融合機１０１の通知部２５からＰＣ１０２（入力された通知先）に、ネットワーク制御部２７を介して通知メッセージが転送（Ｓ６５−Ｓ６６）される。ＰＣ１０２は、通知メッセージを受け付けて受付内容を表示（Ｓ６７）する。
【０１１４】
なお、ここでは通知先を自動入力するようにしたが、通知登録ＩＤを手動入力するのと同様にして、通知先を手動入力するようにしても構わない。また、ここでは通知先を自動入力の対象としたが、通知登録ＩＤを自動入力の対象としても構わない。この場合、ＵＳＢメモリには、通知登録ＩＤを記憶させておくのである。さらに、ここでは自動入力用のデバイスの具体例としてＵＳＢメモリを挙げたが、その他の具体例として社員証等のＩＤカードを挙げることができる。
【０１１５】
（２）認証処理
Ｓ２５の処理では、ユーザが、融合機１０１から応答された通知登録ＩＤを融合機１０１のタッチパネル３１１に手動入力した。Ｓ２６の処理では、スキャンサービス１１が、原稿がセットされた旨を、その通知登録ＩＤに係る通知登録にて登録された通知先に通知した。
【０１１６】
これに認証処理を加えて、Ｓ２５の処理にて、ユーザが、融合機１０１から応答された通知登録ＩＤと認証情報を融合機１０１のタッチパネル３１１に手動入力するようにして、Ｓ２６の処理にて、スキャンサービス１１が、その認証情報が正しいことを条件に、原稿がセットされた旨を、その通知登録ＩＤに係る通知登録にて登録された通知先に通知するようにしてもよい。
【０１１７】
図２１は、通知登録ＩＤと認証情報を手動入力する場合の、通知関連処理（Ｓ２１−Ｓ２７）に係るシーケンス図である。図１５と対応するシーケンス図であり、図１５と同様のステップには図１５と同一のステップ番号を添付した。Ｓ５１−Ｓ５７の処理については、図１５と同様なので、図２１では省略した。
【０１１８】
ユーザは、融合機１０１に原稿をセット（Ｓ６１）して、通知登録ＩＤと認証情報を融合機１０１に入力（Ｓ６２）する。これに応じて、スキャン処理部２１から融合機１０１内の認証サービスであるＣＣＳ１６７（図４参照）に、認証情報が転送（Ｓ９１）され、ＣＣＳ１６７により認証処理が実行され、ＣＣＳ１６７からスキャン処理部２１に、認証処理の実行結果が転送（Ｓ９２）される。認証処理の実行結果を受けて、スキャン処理部２１からＣＣＳ１６７に、スキャナ利用チケットの発行が要求（Ｓ９３）され、ＣＣＳ１６７からスキャン処理部２１に、スキャナ利用チケットが発行（Ｓ９４）される。これに応じて、スキャン処理部２１から通知部２５に、原稿がセットされて通知登録ＩＤが入力された旨が通知（Ｓ６３）される。これに応じて、通知部２５により通知登録内容の確認（Ｓ６４）がなされる。これにより、通知処理を実行する要件が満たされたことが確認されれば、融合機１０１の通知部２５からＰＣ１０２（入力された通知登録ＩＤに係る通知登録にて登録された通知先）に、ネットワーク制御部２７を介して通知メッセージが転送（Ｓ６５−Ｓ６６）される。ＰＣ１０２は、通知メッセージを受け付けて受付内容を表示（Ｓ６７）する。
【０１１９】
図２２は、通知登録ＩＤと認証情報を手動入力する場合の通知関連処理（Ｓ２１−Ｓ２７）に係るフロー図である。図１６と対応するフロー図であり、図１６と同様のステップには図１６と同一のステップ番号を添付した。
【０１２０】
スキャンサービス１１（融合機１０１）は、原稿セット部３０１に原稿がセットされたことを検知（Ｓ１０１）すると、通知登録ＩＤと認証情報の入力画面をタッチパネル３１１に表示（Ｓ１０２）する。スキャンサービス１１（融合機１０１）は、通知登録ＩＤと認証情報の入力画面に通知登録ＩＤと認証情報が入力されたことを認識（Ｓ１０３）すると、入力された通知登録ＩＤと認証情報の正当性を判断（Ｓ１０４）する。スキャンサービス１１（融合機１０１）は、入力された通知登録ＩＤと認証情報が正しい場合には、通知条件を確認（Ｓ１０５）してから、原稿がセットされた旨を、入力された通知登録ＩＤに係る通知登録にて登録された通知先（ＰＣ１０２のＵＲＩ）に通知（Ｓ１０６）する。
【０１２１】
なお、ここでは通知登録ＩＤと認証情報を手動入力の対象としたが、通知先と認証情報を手動入力の対象としても構わない。また、ここでは通知登録ＩＤと認証情報を手動入力するようにしたが、通知登録ＩＤと認証情報を自動入力するようにしても構わない。このために、図１９のように、自動入力用のデバイスに認証情報（ユーザＩＤとパスワード）を記憶させておくのである。通知先と認証情報を自動入力するようにすることについても同様である。さらに、ここでは融合機１０１の内部の認証サービスが認証処理を実行するようにしたが、融合機１０１の外部の認証サーバが認証処理を実行するようにしても構わない。
【０１２２】
（３）入力画面
図２３は、図１６のＳ１０２の処理にてタッチパネル３１１に表示される通知登録ＩＤの入力画面を表す。ユーザは、通知登録ＩＤの入力欄に通知登録ＩＤを入力して、ボタン「通知する」にタッチするのである。チェック欄「入力する」にチェックすると手動入力モードになり、チェック欄「デバイスをセットする」にチェックすると自動入力モードになる。
【０１２３】
図２４は、図２２のＳ１０２の処理にてタッチパネル３１１に表示される通知登録ＩＤと認証情報の入力画面を表す。ユーザは、通知登録ＩＤの入力欄に通知登録ＩＤを入力して、ユーザＩＤの入力欄にはユーザＩＤを入力して、パスワードの入力欄にはパスワードを入力して、ボタン「通知する」にタッチするのである。チェック欄「入力する」にチェックすると手動入力モードになり、チェック欄「デバイスをセットする」にチェックすると自動入力モードになる。
【０１２４】
（変形例）
図１の融合機１０１は、本発明の実施例に該当して、図１の融合機１０１により実行される情報処理方法は、本発明の実施例に該当する。図１のＰＣ１０２は、本発明の実施例に該当して、図１のＰＣ１０２により実行される情報処理方法は、本発明の実施例に該当する。当該情報処理方法をコンピュータに実行させる情報処理プログラムは、本発明の実施例に該当して、当該情報処理方法をコンピュータに実行させる情報処理プログラムが記録されたＣＤ−ＲＯＭは、本発明の実施例に該当する。図１の文書処理システムにおいて実行される情報処理方法は、本発明の実施例に該当する。
【０１２５】
なお、本発明に係る「画像形成装置」の実施例として、スキャナやプリンタやコピーやファクシミリとして機能する「融合機」について説明したが、これを単にスキャナとして機能する「スキャナ」で置き換えても構わない。
【図面の簡単な説明】
【０１２６】
【図１】ＯＡ機器が接続されたネットワークに係る機器配置図である。
【図２】図１の融合機に係る機能ブロック図である。
【図３】図１のＰＣに係る機能ブロック図である。
【図４】図１の融合機に係るソフトウェア等構成図である。
【図５】図１の融合機に係るハードウェア構成図である。
【図６】図１の融合機に係る外観図である。
【図７】オペレーションパネルを表す。
【図８】リモートスキャン処理について説明するためのシーケンス図である。
【図９】スキャナ検索要求のスクリプトの例を表す。
【図１０】スキャナ検索要求のスクリプトの例を表す。
【図１１】通知登録要求の属性について説明するための表である。
【図１２】通知登録応答の属性について説明するための表である。
【図１３】通知メッセージの属性について説明するための表である。
【図１４】検索関連処理に係るシーケンス図である。
【図１５】通知関連処理に係るシーケンス図である。
【図１６】通知関連処理に係るフロー図である。
【図１７】ジョブ関連処理に係るシーケンス図である。
【図１８】ジョブ関連処理に係るフロー図である。
【図１９】自動入力用のデバイスに記憶させておく記憶内容を表す。
【図２０】通知先を自動入力する場合の通知関連処理に係るシーケンス図である。
【図２１】通知登録ＩＤと認証情報を手動入力する場合の通知関連処理に係るシーケンス図である。
【図２２】通知登録ＩＤと認証情報を手動入力する場合の通知関連処理に係るフロー図である。
【図２３】通知登録ＩＤの入力画面を表す。
【図２４】通知登録ＩＤと認証情報の入力画面を表す。
【符号の説明】
【０１２７】
１１  スキャンサービス
１２  プリントサービス
１３  スキャナドライバ
１４  プリンタドライバ
２１  スキャン処理部
２２  プリント処理部
２３  検索応答部
２４  通知登録部
２５  通知部
２６  ジョブ制御部
２７  ネットワーク制御部
３１  ＵＩ処理部
３２  検索部
３３  通知登録要求部
３４  通知登録応答受付部
３５  通知受付部
３６  ジョブ要求部
３７  ネットワーク制御部
１０１  融合機
１０２  パーソナルコンピュータ
１０３  ネットワーク
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１４６  リモートＦＡＸアプリ
１４７  ＢＭＬｉｎｋＳアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  テンキー
３１３  スタートボタン
３１４  リセットボタン
３１５  初期設定ボタン
３２１  ＡＤＦ
３２２  フラットベッド
３２３  フラットベッドカバー
【図１】
2005130102.tif 000003
【図２】
2005130102.tif 000004
【図３】
2005130102.tif 000005
【図４】
2005130102.tif 000006
【図５】
2005130102.tif 000007
【図６】
2005130102.tif 000008
【図７】
2005130102.tif 000009
【図８】
2005130102.tif 000010
【図９】
2005130102.tif 000011
【図１０】
2005130102.tif 000012
【図１１】
2005130102.tif 000013
【図１２】
2005130102.tif 000014
【図１３】
2005130102.tif 000015
【図１４】
2005130102.tif 000016
【図１５】
2005130102.tif 000017
【図１６】
2005130102.tif 000018
【図１７】
2005130102.tif 000019
【図１８】
2005130102.tif 000020
【図１９】
2005130102.tif 000021
【図２０】
2005130102.tif 000022
【図２１】
2005130102.tif 000023
【図２２】
2005130102.tif 000024
【図２３】
2005130102.tif 000025
【図２４】
2005130102.tif 000026